(57)【要約】      （修正有）【課題】加湿運転停止時に加湿フィルタ全体を短時間でムラなく乾燥させる加湿装置を提供する。【解決手段】吸込口と吹出口を有するケーシング１と、ケーシング１内に配置されたファン２０と、ファン２０によって生じた空気流に加湿を行う加湿フィルタ４０と、加湿フィルタ４０の下方に配置された水トレー９０と、加湿フィルタ４０が取り付けられ、ケーシング１に回転自在に支持された旋回枠６５と、旋回枠６５に設けられ、水トレー９０から水を汲み上げて加湿フィルタ４０に掛けるためのバケット部６１とを有する水掛装置６０と、水掛装置６０の旋回枠６５を回転させるモータ７４と、制御部２００とを備える。制御部２００は、加湿運転の停止後の乾燥運転中、ファン２０とモータ７４を制御して、水掛装置６０の旋回枠６５を加湿運転時の回転方向に対して逆方向に回転させて、ファン２０からの空気流により加湿フィルタ４０を乾燥させる乾燥運転を行う。【選択図】図２
2010243006.tif 000002
【特許請求の範囲】
【請求項１】
吸込口と吹出口を有するケーシング(１)と、
上記ケーシング(１)内に配置されたファン(２０)と、
上記ファン(２０)によって生じた空気流に加湿を行う加湿フィルタ(４０)と、
上記加湿フィルタ(４０)の下方に配置された水トレー(９０)と、
上記加湿フィルタ(４０)が取り付けられ、上記ケーシング(１)に回転自在に支持された旋回枠(６５)と、上記旋回枠(６５)に設けられ、上記水トレー(９０)から水を汲み上げて上記加湿フィルタ(４０)に掛けるためのバケット部(６１)とを有する水掛装置(６０)と、
上記水掛装置(６０)の旋回枠(６５)を回転させるモータ(７４)と、
上記ファン(２０)と上記モータ(７４)とを制御して、上記ファン(２０)を運転しながら上記水掛装置(６０)の旋回枠(６５)を回転させて加湿運転を行うと共に、上記加湿運転の停止後に上記加湿フィルタ(４０)を乾燥させる乾燥運転を行う制御部(２００)と
を備え、
上記制御部(２００)は、上記加湿運転の停止後の乾燥運転中、上記ファン(２０)を運転すると共に、上記水掛装置(６０)の旋回枠(６５)を上記加湿運転時の回転方向に対して逆方向に回転させることを特徴とする加湿装置。
【請求項２】
請求項１に記載の加湿装置において、
上記制御部(２００)は、上記モータ(７４)を制御して、上記乾燥運転における上記水掛装置(６０)の旋回枠(６５)の回転速度を、上記加湿運転時の回転速度とは変えることを特徴とする加湿装置。
【請求項３】
請求項２に記載の加湿装置において、
上記制御部(２００)は、上記モータ(７４)を制御して、上記乾燥運転における上記水掛装置(６０)の旋回枠(６５)の回転速度を、上記加湿運転時の回転速度よりも遅くすることを特徴とする加湿装置。
【請求項４】
請求項２に記載の加湿装置において、
上記制御部(２００)は、上記モータ(７４)を制御して、上記乾燥運転における上記水掛装置(６０)の旋回枠(６５)の回転速度を、上記加湿運転時の回転速度よりも速くすることを特徴とする加湿装置。
【請求項５】
請求項１から４までのいずれか１つに記載の加湿装置において、
上記水掛装置(６０)のバケット部(６１)は、上記加湿運転時の上記旋回枠(６５)の回転方向に向かって少なくとも開口していることを特徴とする加湿装置。
【発明の詳細な説明】
【技術分野】
【０００１】
この発明は、加湿装置に関する。
【背景技術】
【０００２】
従来、加湿装置としては、円盤形状の加湿フィルタの円周に沿って複数のひしゃくを配置し、加湿フィルタを回転させることにより、水槽からひしゃくによりすくい上げた水を加湿フィルタに連続的に供給して、ファンからの空気を加湿フィルタにより加湿するものがある(例えば、特開２００５−２８２９８０号公報(特許文献１)参照)。
【０００３】
しかしながら、上記構成の加湿装置では、加湿運転を停止して加湿フィルタの回転を止めてもすぐには加湿フィルタが乾燥しないので、加湿フィルタにカビや雑菌が発生しやすいという問題がある。
【０００４】
そこで、上記加湿装置において、加湿運転停止時にファンを運転することにより、加湿フィルタを乾燥させてカビや雑菌の発生を抑制することが考えられる。
【０００５】
ところが、このような加湿装置では、加湿フィルタを通過するファンからの空気流にムラが生じるため、加湿フィルタ全体を短時間でムラなく乾燥させることができないという問題がある。
【先行技術文献】
【特許文献】
【０００６】
【特許文献１】特開２００５−２８２９８０号公報(図２,図３)
【発明の概要】
【発明が解決しようとする課題】
【０００７】
そこで、この発明の課題は、加湿運転停止時に加湿フィルタ全体を短時間でムラなく乾燥させることができる加湿装置を提供することにある。
【課題を解決するための手段】
【０００８】
上記課題を解決するため、この発明の加湿装置は、
吸込口と吹出口を有するケーシングと、
上記ケーシング内に配置されたファンと、
上記ファンによって生じた空気流に加湿を行う加湿フィルタと、
上記加湿フィルタの下方に配置された水トレーと、
上記加湿フィルタが取り付けられ、上記ケーシングに回転自在に支持された旋回枠と、上記旋回枠に設けられ、上記水トレーから水を汲み上げて上記加湿フィルタに掛けるためのバケット部とを有する水掛装置と、
上記水掛装置の旋回枠を回転させるモータと、
上記ファンと上記モータとを制御して、上記ファンを運転しながら上記水掛装置の旋回枠を回転させて加湿運転を行うと共に、上記加湿運転の停止後に上記加湿フィルタを乾燥させる乾燥運転を行う制御部と
を備え、
上記制御部は、上記加湿運転の停止後の乾燥運転中、上記ファンを運転すると共に、上記水掛装置の旋回枠を上記加湿運転時の回転方向に対して逆方向に回転させることを特徴とする。
【０００９】
上記構成によれば、制御部によりファンとモータを制御して、加湿運転の停止後の乾燥運転中、ファンを運転すると共に、水掛装置の旋回枠を加湿運転時の回転方向に対して逆方向に回転させて、加湿フィルタを乾燥させる乾燥運転を行う。これにより、加湿運転停止時に加湿フィルタ全体を短時間でムラなく乾燥させることができる。また、水掛装置の旋回枠を逆回転させることにより、水掛装置のバケット部から水が排水されるので、特に長期停止中にバケット部内の水が蒸発してスケールが発生するのを防止できる。
【００１０】
また、一実施形態の加湿装置では、
上記制御部は、上記乾燥運転における上記水掛装置の旋回枠の回転速度を、上記加湿運転時の回転速度とは変えるように上記モータを制御する。
【００１１】
上記実施形態によれば、上記制御部によりモータを制御して、乾燥運転における水掛装置の旋回枠の回転速度を加湿運転時の回転速度よりも遅くしたり速くしたりする。それによって、例えば、水掛装置の旋回枠の回転速度を加湿運転時の回転速度よりも遅くすることによって、水トレーから水掛装置の旋回枠やバケット部に付着した水が回転に伴って上方に上がらないで流れ落ちるようにでき、付着水が加湿フィルタを濡らさないので、確実な乾燥運転ができる。また、乾燥運転における水掛装置の旋回枠の回転速度を加湿運転時の回転速度よりも速くすることによって、加湿フィルタ全体をよりムラなく乾燥させることができる。
【００１２】
また、一実施形態の加湿装置では、
上記制御部は、上記モータを制御して、上記乾燥運転における上記水掛装置の旋回枠の回転速度を、上記加湿運転時の回転速度よりも遅くする。
【００１３】
上記実施形態によれば、上記制御部によりモータを制御して、乾燥運転における水掛装置の旋回枠の回転速度を加湿運転時の回転速度よりも遅くすることによって、水トレーから水掛装置の旋回枠やバケット部に付着した水が回転に伴って上方に上がらないで流れ落ちるようにでき、付着水が加湿フィルタを濡らさないので、確実な乾燥運転ができる。
【００１４】
また、一実施形態の加湿装置では、
上記制御部は、上記モータを制御して、上記乾燥運転における上記水掛装置の旋回枠の回転速度を、上記加湿運転時の回転速度よりも速くする。
【００１５】
上記実施形態によれば、上記制御部によりモータを制御して、乾燥運転における水掛装置の旋回枠の回転速度を加湿運転時の回転速度よりも速くすることによって、加湿フィルタ全体をよりムラなく乾燥させることができる。
【００１６】
また、一実施形態の加湿装置では、
上記水掛装置のバケット部は、上記加湿運転時の上記旋回枠の回転方向に向かって少なくとも開口している。
【００１７】
上記実施形態によれば、加湿運転時に、バケット部が水トレーから水を汲み上げて上方に向かって移動する状態では、バケット部の開口は上側を向いている。これに対して、加湿運転時の回転方向に対して逆方向に回転させる乾燥運転時、バケット部が水トレー内の水中から出て上方に向かって移動する状態では、バケット部の開口は下側を向いている。これによって、上記水掛装置の旋回枠を逆回転させたときに、水掛装置のバケット部から水が自然落下により排水されやすくなる。
【発明の効果】
【００１８】
以上より明らかなように、この発明の加湿装置によれば、加湿運転停止時に加湿フィルタ全体を短時間でムラなく乾燥させることができる加湿装置を実現することができる。
【図面の簡単な説明】
【００１９】
【図１】図１はこの発明の実施の一形態の加湿装置の斜視図である。
【図２】図２は上記実施形態の加湿装置の縦断面図である。
【図３】図３は上記実施形態の加湿装置の横断面図である。
【図４】図４は上記実施形態の加湿装置の前面パネルを取り外して水タンク側から見た正面図である。
【図５】図５は上記実施形態の加湿装置のファンと加湿フィルタと仕切り板との関係を示す模式図である。
【図６】図６は上記実施形態の加湿装置の加湿フィルタとベルマウスと仕切り板との関係を示す模式図である。
【図７】図７はケーシング内に配置された水掛装置を正面から見た図である。
【図８】図８は旋回枠の斜視図である。
【図９】図９は旋回枠の要部を示す斜視図である。
【図１０】図１０はバケット部を示す斜視図である。
【図１１】図１１は水トレーの斜視図である。
【図１２】図１２は加湿フィルタが取り付けられた水掛装置の斜視図である。
【図１３】図１３は水トレーに水掛装置が取り付けられた状態を示す斜視図である。
【図１４】図１４は上記加湿装置の制御ブロック図である。
【発明を実施するための形態】
【００２０】
以下、この発明の加湿装置を図示の実施の形態により詳細に説明する。
【００２１】
図１はこの発明の実施の一形態の加湿装置の斜視図を示している。この加湿装置は、図１に示すように、ケーシング本体２と、このケーシング本体２に着脱可能に取り付けられた前面パネル３とからなるケーシング１を備えている。上記ケーシング１の両側面には吸込口５,５を設け(図３を参照)、ケーシング１の上面の後部に吹出口６を設けている。
【００２２】
従来の加湿装置は、吸込口がケーシングの後面にあるため、そのケーシングと部屋の壁面との間にある程度の大きさの隙間をあけないと、吸込抵抗が大きくなるため、部屋の壁面に密着させることができなくて、その設置の自由度が低かった。これに対して、この加湿装置では、吸込口５,５をケーシング１の側面に設け、吹出口６をケーシング１の上面に設けて、ケーシング１の後面７には吸込口および吹出口を無くすことにより、この加湿装置のケーシング１の後面７は、図示しない部屋の壁面に密着させることが可能となり、設置の自由度が高くなる。
【００２３】
一方、図２は上記実施形態の加湿装置の縦断面図を示しており、図２に示すように、ケーシング１内には、前面側に水タンク１０を立設し、後面側にファンモータ２１で駆動されるファン２０を配置している。上記水タンク１０は、石油ストーブの油タンクと同じ周知の構造を有するもので、底部の出口に、図示しないチェック弁が設けられていて、水タンク１０を立設した状態で、チェック弁が押されて開放するものである。上記水タンク１０とファン２０との間には、前面側から順に、空気清浄フィルタユニット３０と、円板形状の加湿フィルタ４０とを配置している。
【００２４】
なお、図２において、１１１は電源用プリント基板、１１２は操作制御用プリント基板、１１３は表示用プリント基板、１１４は埃センサ、１１５は予備用フィルタ、２００は制御部である。
【００２５】
図４は上記実施形態の加湿装置の前面パネルを取り外して水タンク１０側から見た正面図を示している。なお、図４において、１２１は高圧用プリント基板、１２２は臭いセンサ、１２３はストリーマ、１２４は受光部である。
【００２６】
上記水タンク１０と空気清浄フィルタユニット３０とは、図２および図４に示すように、正面視で大略矩形であり、略大部分が前後方向に重なる。また、上記空気清浄フィルタユニット３０の下側の部分と加湿フィルタ４０とが前後方向に重なっている。さらに、上記水タンク１０、空気清浄フィルタユニット３０および加湿フィルタ４０の各々は、上記ファン２０のベルマウス２３の少なくとも一部に重なるように配置している。上記ベルマウス２３の少なくとも一部を覆うように配置して、ファン２０からの騒音を低減している。
【００２７】
なお、本明細書では、ベルマウス２３とは、ベルマウス２３自体の他、ベルマウス２３で囲まれる開口をも含む概念である。
【００２８】
また、図３に示すように、上記空気清浄フィルタユニット３０は、大きな埃やペットの毛等を捕集するためのプレフィルタ３１と、埃や塵等に帯電をさせるイオン化部３２と、帯電した埃や塵等を捕集する例えばプリーツフィルタからなる集塵フィルタ３３と、タバコの臭いやペットの臭い等の悪臭成分を捕集する脱臭フィルタ３４とを含む。上記プレフィルタ３１、イオン化部３２、集塵フィルタ３３および脱臭フィルタ３４は、ケーシング１の前面側から順に、略一直線状に配列している。
【００２９】
また、上記イオン化部３２は、加湿フィルタ４０よりも空気流の上流側に配置しているので、イオン化部３２に付着した埃、塵が、加湿フィルタ４０からの水分を含むことがなく、放電不良を防止できる。
【００３０】
また、上記脱臭フィルタ３４は、加湿フィルタ４０よりも空気流の上流側に配置されているから、加湿フィルタ４０からの水分が脱臭フィルタ３４の吸着穴を埋めてしまうことがなく、脱臭性能の低下を防止できる。
【００３１】
なお、上記集塵フィルタ３３は、表面積の大きなプリーツフィルタであるため、通風抵抗を低減できる。
【００３２】
一方、図３は上記実施形態の加湿装置の横断面図しており、図３に示すように、水タンク１０の後面１１は、吸込口５,５から吸い込んだ空気を案内するガイド面として兼用して、独立したガイド部材を不要として、加湿装置の前後方向の寸法を小さくしている。
【００３３】
詳しくは、上記水タンク１０は、図３に示すように、水平断面が略台形状をしており、側部から中央部にかけて徐々に厚さが厚くなるように、後面１１は、両側の傾斜面１２,１２と中央の平坦面１３とからなる。
【００３４】
上記水タンク１０の後面１１の傾斜面１２,１２は、ケーシング１の吸込口５,５から吸い込んだ空気を徐々に空気清浄フィルタユニット３０のプレフィルタ３１へ向けて案内して、通風抵抗を低減する。
【００３５】
尤も、上記傾斜面１２,１２に代えて、吸込口５からの空気を徐々にプレフィルタ３１に向けて案内する図示しない湾曲面を用いてもよい。
【００３６】
また、上記水タンク１０の平坦面１３を有する中央部は、側部よりも厚くして、中央のデッドスペースとなる箇所を水タンク１０の中央部に有効に利用して、タンク容量を大きくしている。
【００３７】
一方、上記空気清浄フィルタユニット３０のプレフィルタ３１、イオン化部３２、集塵フィルタ３３および脱臭フィルタ３４、並びに、加湿フィルタ４０は、前後方向に部分的に重ねて、略一直線状に配列して、吸込口５から吸い込んだ空気流の屈曲回数を少なくして、通風抵抗を小さくしている。
【００３８】
図２および図４に示すように、上記空気清浄フィルタユニット３０の脱臭フィルタ３４および集塵フィルタ３３等は、ファン２０のベルマウス２３全体に重ねる一方、加湿フィルタ４０は、ベルマウス２３の下側の部分に重ねるが、ベルマウス２３の上側の部分には重ねない。したがって、上記脱臭フィルタ３４の上側の部分からベルマウス２３の上側の部分に至る非加湿通路５１を流れる空気は、加湿フィルタ４０を経由しないので、非加湿通路５１を流れる空気の通風抵抗を低減でき、特に、加湿運転を行わないで空気清浄運転のみを行う場合に、十分な風量(空気量)を確保できるようになっている。
【００３９】
一方、上記空気清浄フィルタユニット３０の脱臭フィルタ３４の下側の部分から加湿フィルタ４０への加湿通路５２と、上記脱臭フィルタ３４の上側の部分からファン２０のベルマウス２３の上側の部分に至る非加湿通路５１とを、仕切り板５０で仕切っている。図４に示すように、上記仕切り板５０は、水平部５３,５４と、それらの水平部５３,５４を連結する傾斜部５５とからなって、加湿フィルタ４０および水掛装置６０に略沿うようにしている。
【００４０】
この仕切り板５０により、加湿通路５２から非加湿通路５１への空気の流れを防止して、つまり、加湿通路５２から加湿フィルタ４０をバイパスする空気の流れを防止して、加湿通路５２に流れる空気の殆どを加湿フィルタ４０に流して、大きな加湿量を得ることができる。この仕切り板５０が存在しないと、加湿通路５２を流れる空気流が非加湿通路５１に流入して、加湿フィルタ４０をバイパスするから、加湿量が少なくなる。
【００４１】
また、上記仕切り板５０は、空気清浄フィルタユニット３０の脱臭フィルタ３４からファン２０の近傍まで延びている。あるいは、図示しないが、上記仕切り板５０は、脱臭フィルタ３４からベルマウス２３の近傍まで延びていてもよい。
【００４２】
これにより、上記加湿フィルタ４０を出た加湿空気と、非加湿通路５１を流れる非加湿空気との衝突による乱流を防止して、通風抵抗を低減し、また、騒音を低減するようにしている。
【００４３】
これを図５および図６の模式図で具体的に説明すると、ファン２０の近傍迄延びる仕切り板５０により、非加湿通路５１と加湿通路５２が分離されるから、非加湿通路５１を流れる空気流Ａ１と加湿通路５２を流れる空気流Ａ２との衝突が防止できる。これにより、衝突による乱流を防止できて、通風抵抗を低減でき、騒音を低減できる。
【００４４】
なお、仕切り板は、空気清浄フィルタユニット３０から加湿フィルタ４０の箇所迄延びるものであってもよい。そうすることによっても、仕切り板により加湿フィルタ４０をバイパスする空気流を防止して、加湿フィルタ４０に十分に空気を通過させて、大きな加湿量を得ることができる。
【００４５】
一方、上記加湿フィルタ４０は、例えば、不織布等からなり、いわゆる気化フィルタ等であって、空気を通過させ、この通過する空気に気化した水分で加湿する。この加湿フィルタ４０は、図４に示すように、円板形状をしていて、水掛装置６０に固定している。
【００４６】
この水掛装置６０のバケット部６１は、図２および図３に模式的に示すように、加湿フィルタ４０の空気流の上流側に向けて水を掛けるように、加湿フィルタ４０に水を掛けるときに、バケット部６１の第１の開口８１近傍、かつ、加湿フィルタ４０側の内面６２が空気流の上流側が下になるように、傾斜している。
【００４７】
図７はケーシング１内に配置された水掛装置６０を正面から見た図を示しており、図７に示すように、水掛装置６０は、支持脚部６３と旋回枠６５とバケット部６１,６１,…とを有する。上記支持脚部６３に、旋回枠６５を鉛直面に沿って旋回自在に取り付けている。より詳しくは、上記旋回枠６５の中心のボス部６６を支持脚部６３の上部の軸受部６４により旋回自在に支持している。
【００４８】
また、図８は旋回枠６５の斜視図を示しており、図９は旋回枠６５の要部を示す斜視図を示している。図８,図９に示すように、旋回枠６５は、ボス部６６と、輪状円板部６７と、この輪状円板部６７とボス部６６とを連結する放射状の複数のアーム部６８,６８,…とを有する。上記アーム部６８,６８,…同士をリング部６９で連結して補強をしている。
【００４９】
また、上記旋回枠６５の輪状円板部６７の一方の端面には、複数のバケット部６１,６１,…を円周上等間隔に設けている。そして、図８および図９では、加湿フィルタ４０を示していないが、バケット部６１とバケット部６１との間に加湿フィルタ４０の外周面が旋回枠６５から露出するようにしている。
【００５０】
これにより、上記バケット部６１とバケット部６１との間において、旋回枠６５から露出している加湿フィルタ４０の外周面から、バケット部６１から放出された水を滲みこませることができて、加湿量が増大できる。
【００５１】
また、上記輪状円板部６７の外周部に歯車７９を形成し、この歯車７９に図２に示すモータの一例としてのギヤードモータ７４の出力軸に連結されたギヤ１３０(図１３に示す)を噛合して、旋回枠６５をギヤードモータ７４で駆動できる。上記ギヤードモータ７４は、図２に示すように、加湿フィルタ４０に、空気流の流通方向に重ならないように配置することによって、ギヤードモータ７４が、加湿フィルタ４０を通る空気流の邪魔にならないようにしている。これにより、上記加湿フィルタ４０を通過する空気量が増大して、加湿量を増大できる。
【００５２】
また、図８および図９に詳細に示すように、上記旋回枠６５の輪状円板部６７の内周側には、断続的に内フランジ部７１,７１,…を設けると共に、各バケット部６１の旋回方向(矢印Ｒ１の方向)前方に向いた第１の開口８１の近傍から半径方向内側に向けて延びる略爪状の保持部７５を設けている。また、上記各バケット部６１の風上側の側壁６１aに、保持部７５に連なる縁から旋回方向後方に向かってくの字形状に屈曲する第２の開口８２を設けている。上記輪状円板部６７の内フランジ部７１,７１,…と保持部７５,７５,…によって、図８および図９には示していないが、図２および図３に示す加湿フィルタ４０の両端面を拘束して保持すると共に、上記輪状円板部６７の内周面７６とバケット部６１の内周側の面７７によって、加湿フィルタ４０の外周を保持している(図１２参照)。
【００５３】
さらに、上記旋回枠６５のアーム部６８,６８,…の各々には、線状のリブ部８９を設けて、図示しないが、このリブ部８９を加湿フィルタ４０に食い込ませて、この加湿フィルタ４０を旋回枠６５とともに回転させるようにしている。
【００５４】
上記保持部７５は、加湿フィルタ４０の前面を保持する他に、水ガイドとしての役目を兼ねて、バケット部６１の第１,第２の開口８１,８２から排出された水を加湿フィルタ４０の前面を半径方向内側にガイドする。ここで、バケット部６１の水は、主に第２の開口８２から排出される。
【００５５】
したがって、上記バケット部６１の第１,第２の開口８１,８２から排出された水は、保持部７５により、加湿フィルタ４０の前面を半径方向内側に迅速に導かれて、広い範囲に速く行き亘り、加湿量を増大できる。
【００５６】
また、図８および図９に示すように、上記バケット部６１の第１の開口８１の旋回枠６５の回転方向(矢印Ｒ１の方向)の前方に位置する輪状円板部６７の部分７８は、開口８１からの水が加湿フィルタ４０(図２に示す)に行かないで空気流の後方に行くのを遮る壁部として機能する。この輪状円板部６７の部分である壁部７８は、バケット部６１の第１の開口８１から排出された水が、加湿フィルタ４０に行かないで、空気流と共に加湿フィルタ４０よりも後方に行くのを防止して、第１の開口８１からの水を加湿フィルタ４０へ案内する。したがって、この壁部７８は、加湿フィルタ４０の後方への水飛びを防止して、加湿量を増大でき、かつ、ファン２０および吹出口６からの水飛びを防止できる。
【００５７】
また、図１０はバケット部６１を示す斜視図を示しており、図１０に示すように、水掛装置６０のバケット部６１は、加湿フィルタ４０(図２に示す)に水を掛けるときに、第１,第２の開口８１,８２の近傍、かつ、加湿フィルタ４０側の内面６２が空気流の上流側(図２,図１０において右側)が下になるように傾斜している。
【００５８】
このように、上記加湿フィルタ４０に第１,第２の開口８１,８２から水を掛けるときに、バケット部６１の第１,第２の開口８１,８２の近傍、かつ、加湿フィルタ４０側の内面６２が空気流の上流側が下になるように傾斜しているから、第１,第２の開口８１,８２から排出される水は、空気流の上流側に向いた速度成分を有する。そのため、上記加湿フィルタ４０の厚さ方向の上流側の部分に水が掛けられ、さらに、その掛けられた水が空気流と共に加湿フィルタ４０の厚さ方向の下流側の部分にも行き亘ることになって、結局、加湿フィルタ４０の厚さ方向の全体に水が行き亘って、大きな加湿量を得ることができる。
【００５９】
なお、図１０に示す実施形態では、バケット部６１の加湿フィルタ４０側の内面は、第１,第２の開口８１,８２近傍の加湿フィルタ４０側の内面６２と、その内面６２よりも奥に位置する内面７２との２段になっているが、この加湿フィルタ４０側の内面は、内面６２およびその延長面からなる一段にしてもよい。また、上記バケット部６１の内面６２と内面７２には、壁部７８に連なる湾曲凹面６２a,７２aを形成している。これにより、バケット部６１により汲み上げられた水が、バケット部６１内からスムーズに第１,第２の開口８１,８２から排出される。
【００６０】
さらに、図２および図９に示すように、上記加湿フィルタ４０の厚さ方向のバケット部６１の第１の開口８１の幅は、加湿フィルタ４０の厚さ寸法よりも小さく、かつ、バケット部６１の第１の開口８１は、加湿フィルタ４０の厚さ方向の上流側の部分に対応している(図９においては、加湿フィルタ４０は示されていないが、この加湿フィルタ４０は、内フランジ部７１と保持部７５との間に挟まれている)。そのため、上記バケット部６１の第１,第２の開口８１,８２から排出された水は、加湿フィルタ４０の厚さ方向の空気流の上流側の部分に掛けられる一方、加湿フィルタ４０の厚さ方向の空気流の下流側の部分に直接掛けられないようになっている。
【００６１】
したがって、水が掛けられた加湿フィルタ４０の厚さ方向の上流側の部分に水が行き亘ることは勿論のこと、その掛けられた水が空気流と共に加湿フィルタ４０の厚さ方向の下流側の部分にも行き亘り、結局、加湿フィルタ４０の厚さ方向の全体に水が行き亘ることになって、大きな加湿量を得ることができる。
【００６２】
また、上記加湿フィルタ４０の厚さ方向の下流側の部分に水を直接掛けないので、加湿フィルタ４０から下流側への水飛びを防止でき、ひいては、ファン２０および吹出口６からの水飛びを防止できる。
【００６３】
図２に示すように、上記水掛装置６０は、加湿フィルタ４０を水トレー９０の水に浸らせない一方、バケット部６１が汲み上げ部９２の水に浸って汲み上げ部９２から水を汲み上げることができるように、その寸法を設定し、かつ、配置している。このように、上記加湿フィルタ４０を水トレー９０内の水に浸らないように配置することによって、水掛装置６０の旋回枠６５(図７に示す)の停止時には、加湿フィルタ４０にバケット部６１から水が掛けられない上に、加湿フィルタ４０が水トレー９０の水に浸らなくて吸水しないようにして、加湿機能をオフにするようにしている。
【００６４】
したがって、上記ギヤードモータ７４で、旋回枠６５の旋回をオンオフ制御することによって、加湿機能のオンオフ制御を行うことができる。また、ギヤードモータ７４で、水掛装置６０の旋回枠６５(図７に示す)を正回転(加湿運転時)と逆回転(乾燥運転時)の回転方向の制御を行うことができる。
【００６５】
一方、上記水トレー９０には、図２に示すように、断面逆Ｌ字状の仕切り壁９１を設けて、汲み上げ部９２と非汲み上げ部９３とに仕切っている。上記水掛装置６０の旋回枠６５(図７に示す)の正回転させることにより、汲み上げ部９２からバケット部６１が水を汲み上げる。上記非汲み上げ部９３は空気清浄フィルタユニット３０の上流側の空気圧力を受ける。
【００６６】
上記仕切り壁９１の上部は、空気清浄フィルタユニット３０のプレフィルタ３１、イオン化部３２、集塵フィルタ３３および脱臭フィルタ３４の下部に密着していて、空気清浄フィルタユニット３０を通過する空気の抵抗損失によって、非汲み上げ部９３上の空気圧力と汲み上げ部９２上の空気圧力とに差圧が生じるようにしている。
【００６７】
上記非汲み上げ部９３には、フロートスイッチ９４を設けて、非汲み上げ部９３の水位が定常状態よりも一定値だけ低くなると、水タンク１０に水がないことを表す表示または警報を、図示しない表示部または警報部で行うようにしている。
【００６８】
図１１の水トレー９０の斜視図に詳しく示すように、水トレー９０には、バケット部６１で水が汲み上げられる幅広の汲み上げ部９２と、空気清浄フィルタユニット３０の上流側の空気圧力を受ける非汲み上げ部９３とを仕切る仕切り壁９１(一部のみを示す)を設け、この仕切り壁９１の下部に通水孔としての横に長い長穴９５を設けている。
【００６９】
これにより、上記ファン２０(図２に示す)の回転速度の上昇に応じて、空気清浄フィルタユニット３０(図２に示す)の上流側と下流側との差圧が高くなると、この差圧の大きさに応じて、汲み上げ部９２の水位は、非汲み上げ部９３の水位よりも、高くなって、ファン２０に回転速度に応じて、バケット部６１(図２に示す)の汲み上げ水量を自動的に調節できるようになっている。したがって、上記ファン２０に回転速度に応じて、加湿フィルタ４０に対する水掛け量を自動的に調節して、加湿量を簡単に自動的に調節することができる。
【００７０】
上記水トレー９０の仕切り壁９１に設けた横に長い長穴９５は、水位が低くなっても、空気に露出し難い上、非汲み上げ部９３から汲み上げ部９２に迅速に水を供給して、汲み上げ部９２の水位の自動調節の応答速度を速くする。
【００７１】
一方、上記非汲み上げ部９３には、水タンク１０を設置する水タンク設置部９８を設けており、この水タンク設置部９８の底面９８ｂの高さは、非汲み上げ部９３の仕切り壁９１近傍の底面９３ｂの高さよりも高くしている。さらに、上記水タンク設置部９８の周壁には、上端から切欠き１０１を設けている。
【００７２】
これにより、上記ファン２０の回転を停止して、空気清浄フィルタユニット３０の上流側と下流側の差圧がなくなって、汲み上げ部９２から非汲み上げ部９３に水が戻って、非汲み上げ部９３の水位が一定値以上になった場合、非汲み上げ部９３からバッファ水収容部９９へ切欠き１０１を通して水を排出して、非汲み上げ部９３から外部へ水がオーバーフローするのを防止するようにしている。なお、上記切欠き１０１に代えて、水タンク設置部９８の周壁の上部に貫通穴を設けてもよい。
【００７３】
なお、図１１において、９６は抗菌剤のケースを取り付けるための穴、９７はフロート取付穴である。
【００７４】
上記構成の加湿装置は、次のように動作する。
【００７５】
図２および図３に示すように、上記ファン２０をファンモータ２１で駆動し、水掛装置６０の旋回枠６５をギヤードモータ７４で駆動すると、ケーシング１の側面の吸込口５,５から空気が吸い込まれる。この吸い込まれた空気は、水タンク１０の後面１１と空気清浄フィルタユニット３０のプレフィルタ３１との間から、プレフィルタ３１に向けて流れの方向を９０度１回変え、その後、略一直線状に配列された空気清浄フィルタユニット３０のプレフィルタ３１、イオン化部３２、集塵フィルタ３３、脱臭フィルタ３４、加湿フィルタ４０およびファン２０を水平方向に略直線状に流れて、清浄化され、かつ、加湿されて、その後、ファン２０から出るときに、略鉛直上方に流れの方向を９０度１回変えて、ケーシング１の上面の吹出口６から排出される。
【００７６】
このように、この加湿装置では、ケーシング１の吸込口５,５から吸い込まれた空気の流れ、つまり、空気流路の屈曲回数は、大略、ケーシング１の側面の吸込口５,５から空気清浄フィルタユニット３０のプレフィルタ３１への１回とファン２０を出るときの１回との計２回であって、空気流路の屈曲回数が少ないため、通風抵抗が小さい。
【００７７】
また、上記ケーシング１の吸込口５,５から吸い込まれた空気は、水タンク１０の後面１１の両側の傾斜面１２,１２によって、空気清浄フィルタユニット３０のプレフィルタ３１へ向けて徐々に案内されて、急激な方向変化が少ないため、通風抵抗が小さい。
【００７８】
上記空気清浄フィルタユニット３０の脱臭フィルタ３４の上側の部分から出て来る清浄空気は、仕切り板５０で加湿通路５２と仕切られた非加湿通路５１を流れて、加湿フィルタ４０を通過しないで、ベルマウス２３の上側の部分を通って、ファン２０に吸い込まれる一方、脱臭フィルタ３４の下側の部分から出て来る清浄空気は、加湿通路５２を流れて、加湿フィルタ４０を通過して、加湿されて、ベルマウス２３の下側の部分を通って、ファン２０に吸い込まれる。
【００７９】
このように、上記脱臭フィルタ３４の上側の部分からベルマウス２３の上側の部分に至る非加湿通路５１を流れる空気は、加湿フィルタ４０を経由しないので、非加湿通路５１を流れる空気の通風抵抗を低減できる。特に、ギヤードモータ７４を停止して、水掛装置６０の作動を停止して、加湿運転を行わないで、空気清浄運転のみを行っている場合に、この非加湿通路５１の存在により、十分な風量(空気量)を確保できる。
【００８０】
また、上記加湿通路５２を流れる清浄空気は、仕切り板５０により、加湿通路５２から加湿フィルタ４０をバイパスして非加湿通路５１へ流入するのが防止されるため、脱臭フィルタ３４の下側の部分から加湿通路５２に流入した空気の殆どが加湿フィルタ４０を通過する。このように、上記脱臭フィルタ３４からファン２０の近傍まで延びている仕切り板５０によって、加湿通路５２から加湿フィルタ４０をバイパスする空気の流れが防止されるため、大きな加湿量を得ることができる。
【００８１】
また、上記空気清浄フィルタユニット３０の脱臭フィルタ３４からファン２０の近傍まで延びている仕切り板５０によって、加湿フィルタ４０を出た加湿空気と、非加湿通路５１を流れる非加湿空気との衝突が防止されて、乱流の発生が防止される。その結果、通風抵抗を低減でき、かつ、騒音を低減できる。
【００８２】
一方、図８,図９および図１０に示すように、加湿フィルタ４０(図２に示す)は、水掛装置６０のバケット部６１の第１,第２の開口８１,８２から水が掛けられる。詳しくは、上記ギヤードモータ７４によって、バケット部６１,６１,６１…を有する旋回枠６５が歯車７９を介して矢印Ｒ１の方向に正回転するように旋回駆動されて、バケット部６１,６１,６１…が水トレー９０の汲み上げ部９２(図２に示す)から水を順次汲み上げて、加湿フィルタ４０に水を掛ける。
【００８３】
また、上記バケット部６１の第１の開口８１から排出された水は、図８および図９に示すように、その第１の開口８１の前方に位置する旋回枠６５の輪状円板部６７の部分である壁部７８によって、空気流と共に加湿フィルタ４０よりも後方に行くのが遮られて、加湿フィルタ４０に向けて落下する。
【００８４】
したがって、上記壁部７８は、加湿フィルタ４０の後方への水飛びを防止して、加湿量を増大でき、かつ、ファン２０および吹出口６からの水飛びを防止できる。
【００８５】
一方、図２に示すように、上記空気清浄フィルタユニット３０に対する空気のバイパスは、仕切り壁９１により遮られる。この空気清浄フィルタユニット３０のプレフィルタ３１、イオン化部３２、集塵フィルタ３３および脱臭フィルタ３４を通過する空気の抵抗損失によって、空気清浄フィルタユニット３０の上流側と下流側とに圧力差が生じる。この圧力差は、ファン２０の回転速度に応じて、つまり、風量の増大に応じて、高くなる。
【００８６】
上記空気清浄フィルタユニット３０および仕切り壁９１の上流側の圧力は、略大気圧であり、この略大気圧が水トレー９０の非汲み上げ部９３の水に作用する一方、空気清浄フィルタユニット３０および仕切り壁９１の下流側の圧力は、大気圧よりも上記抵抗損失分だけ低い低圧であり、この低圧が水トレー９０の汲み上げ部９２の水に作用する。上記水トレー９０の非汲み上げ部９３の水に作用する略大気圧と汲み上げ部９２の水に作用する低圧とには、上述の圧力差がある。
【００８７】
一方、上記水トレー９０の非汲み上げ部９３と汲み上げ部９２とは、仕切り壁９１の下部の長穴９５によって互いに連通しているため、水トレー９０の汲み上げ部９２の水位は、非汲み上げ部９３の水位よりも、上述の圧力差分だけ高くなる。この圧力差は、ファン２０の回転速度に応じて、つまり、風量の増大に応じて、高くなる。そのため、上記汲み上げ部９２の水位は、ファン２０の回転速度に応じて、つまり、風量の増大に応じて、高くなる。
【００８８】
したがって、上記水掛装置６０のバケット部６１は、汲み上げ部９２から、ファン２０の回転速度(風量)の増大に応じて汲み上げ水量が大きくなるように、水を汲み上げて、加湿フィルタ４０に掛けることができる。
【００８９】
このように、上記ファン２０に回転速度に応じて、汲み上げ部９２の水位が自動的に調節されるから、水掛装置６０の旋回枠６５の回転速度を制御しなくても、風量(空気量)に応じて、加湿フィルタ４０に対する水掛け量を自動的に調節でき、加湿量を簡単に自動的に調節できる。
【００９０】
この汲み上げ部９２の水位の自動的な調節は、仕切り壁９１の下部の長穴９５を通して、汲み上げ部９２に水を供給して行うため、迅速に、応答性よく行うことができる。特に、空気に露出しにくい横に長い長穴９５を用いているので、この長穴９５を通して迅速に水を供給して、応答性よく、汲み上げ部９２の水位の自動調節を行うことができる。
【００９１】
次に、上記ファン２０の回転が停止すると、空気清浄フィルタユニット３０の上流側と下流側の差圧がなくなるため、水位が高かった汲み上げ部９２から水位が低かった非汲み上げ部９３に水が戻って、非汲み上げ部９３の水位が一定値以上になる場合がある。
【００９２】
この場合、非汲み上げ部９３からバッファ水収容部９９へ切欠き１０１を通して水が排出されるため、非汲み上げ部９３から外部へ水がオーバーフローすることがない。
【００９３】
図１２は加湿フィルタ４０が取り付けられた水掛装置６０の斜視図を示している。図１２に示すように、円板形状の加湿フィルタ４０は、水掛装置６０の旋回枠６５の輪状円板部６７の内周に取り付けられている。そして、旋回枠６５の中心のボス部６６(図８に示す)が加湿フィルタ４０の中心に設けられた穴(図示せず)を貫通して、加湿フィルタ押さえ用のフランジ部１１０aが設けられた軸部１１０を、旋回枠６５のボス部６６に設けられた穴に貫通させて加湿フィルタ４０を旋回枠６５に固定している。
【００９４】
また、図１３は水トレー９０に水掛装置６０が取り付けられた状態の斜視図を示している。水トレー９０の汲み上げ部９２側に取り付けられた支持脚部６３(水掛装置６０)は、上部にＵ字形状の軸受部６４を有している。上記支持脚部６３の軸受部６４により旋回枠６５のボス部６６(図８に示す)に貫通させた軸部１１０を旋回自在に支持している。ここで、旋回枠６５の外周の歯車７９にギヤ１３０が噛合し、ギヤ１３０にギヤードモータ７４の出力軸を連結している。
【００９５】
また、図１４は上記加湿装置の制御ブロック図を示している。制御部２００は、マイクロコンピュータと入出力回路などからなり、埃センサ１１４と臭いセンサ１２２と温度センサ２０１と湿度センサ２０２からの各検出信号および受光部１２４と操作制御用プリント基板１１２からの信号に基づいて、ファンモータ２１とギヤードモータ７４と表示用プリント基板１１３等を制御する。上記温度センサ２０１と湿度センサ２０２は、吸込口５,５(図１,図３に示す)から吸い込んだ空気の温度と湿度を夫々検出する。また、受光部１２４は、リモートコントローラ(図示せず)からの光制御信号を受光する。
【００９６】
上記構成の加湿装置によれば、制御部２００によりギヤードモータ７４を制御して、加湿運転起動時に、通常加湿運転時よりも低速で水掛装置６０の旋回枠６５を予め設定された時間回転させることによって、低速回転の旋回枠６５に取り付けられた加湿フィルタ４０に水を十分にしみ込ませてから通常加湿運転を行うので、より確実に水飛びを防止することができる。
【００９７】
また、上記制御部２００によりギヤードモータ７４を制御して、加湿運転起動時に予め設定された時間、水掛装置６０の旋回枠６５の回転と停止を交互に行うことによって、回転と停止を交互に行う旋回枠６５に取り付けられた加湿フィルタ４０に水を確実かつ十分にしみ込ませてから通常加湿運転を行うので、より確実に水飛びを防止できる。
【００９８】
なお、上記制御部２００により加湿準備運転中にファン２０を停止してもよい。この場合、加湿フィルタ４０にしみ込む前の水滴がファン２０からの空気流により飛ばされるのを防止することができる。
【００９９】
また、上記加湿装置では、制御部２００によりファンモータ２１とギヤードモータ７４を制御して、加湿運転の停止後に乾燥運転を行う。この乾燥運転中、ファン２０を運転すると共に、水掛装置６０の旋回枠６５を加湿運転時の回転方向(図１３に矢印Ｒ１に示す方向)に対して逆方向(図１３に矢印Ｒ２に示す方向)に回転させて、加湿フィルタ４０を乾燥させる乾燥運転を行うことによって、加湿運転停止時に加湿フィルタ４０全体を短時間でムラなく乾燥させることができる。また、水掛装置６０の旋回枠６５を逆回転させることにより、水掛装置６０のバケット部６１から水が排水されるので、特に長期間運転を停止したときにバケット部６１内に溜まった水が蒸発してスケールが発生するのを防止できる。
【０１００】
また、この実施の形態では、制御部２００によりギヤードモータ７４を制御して、加湿運転時の水掛装置６０の旋回枠６５の回転速度を０.８回転／１分間とし、乾燥運転時の水掛装置６０の旋回枠６５の回転速度を０.５回転／１分間としている。このように乾燥運転における水掛装置６０の旋回枠６５の回転速度を加湿運転時の回転速度よりも遅くすることによって、水トレー９０から水掛装置６０の旋回枠６５に付着した水が回転に伴って上方に上がらないで流れ落ちるようにでき、付着水が加湿フィルタ４０を濡らさないので、確実な乾燥運転ができる。
【０１０１】
なお、逆に、乾燥運転における水掛装置６０の旋回枠６５の回転速度を加湿運転時の回転速度よりも速くしてもよい。この場合、加湿フィルタ４０全体をよりムラなく乾燥させることができる。
【０１０２】
また、上記水掛装置６０のバケット部６１は、加湿運転時の旋回枠６５の回転方向に向かって第１の開口８１が開口しているので、加湿運転時に、バケット部６１が水トレー９０の汲み上げ部９２から水を汲み上げて上方に向かって移動する状態では、バケット部６１の第１の開口８１は上側を向いている。これに対して、加湿運転時の回転方向に対して逆方向に回転させる乾燥運転時に、バケット部６１が水トレー９０の汲み上げ部９２内の水中から出て上方に向かって移動する状態では、バケット部６１の第１の開口８１は下側を向いているので、水掛装置６０の旋回枠６５を逆回転させたときに、水掛装置６０のバケット部６１から水が自然落下により排水されやすくなっている。
【０１０３】
また、上記実施形態の加湿装置では、旋回枠６５の外周部に歯車７９を設け、この歯車７９を駆動するギヤードモータ７４を加湿フィルタ４０と空気流の流れ方向に重ならないよう配置しているので、このギヤードモータ７４が加湿フィルタ４０を通る空気流の邪魔にならなくて、加湿フィルタ４０を通る空気量を増大できて、加湿量を増大できる。
【０１０４】
また、上記実施形態の加湿装置では、加湿フィルタ４０を水トレー９０の汲み上げ部９２内の水に浸らないように配置しているので、ギヤードモータ７４で旋回枠６５の旋回をオンオフすることによって、加湿機能のオンオフ制御をすることができる。
【０１０５】
上記実施形態では、吹出口６をケーシング１の上面に設けたが、吹出口をケーシングの側面に設けてもよく、あるいは、ケーシングの上面と側面の両方に設けてもよい。
【０１０６】
また、上記実施形態では、空気清浄フィルタユニット３０は、プレフィルタ３１、イオン化部３２、集塵フィルタ３３および脱臭フィルタ３４を含んでいたが、これらの他、除菌フィルタを含んでいてもよく、あるいは、イオン化部３２や脱臭フィルタ３４等を除去してもよい。例えば、空気清浄フィルタユニットは、プレフィルタと集塵フィルタのみを含んでいてもよく、あるいは、単一のフィルタのみで構成してもよい。あるいは、空気清浄フィルタユニット３０を除去してもよい。
【０１０７】
また、上記実施形態では、非加湿通路と加湿通路５２とを仕切る仕切り板５０を設けたが、この仕切り板は除去してもよい。
【０１０８】
また、上記実施形態では、バケット部６１の第１,第２の開口８１,８２近傍の加湿フィルタ４０側の内面６２が空気流の上流側が下になるように傾斜しているという構成と、バケット部６１の開口８１が加湿フィルタ４０の厚さ方向の上流側の部分に対応しているという構成との両方の構成を備えているが、一方のみの構成を備えていてもよく、あるいは、両方の構成を備えていなくてもよい。また、上記保持部７５および壁部７８も、除去してもよい。
【０１０９】
また、上記実施形態では、旋回枠６５の外周に歯車７９を設けたが、歯車に代えてベルト用のプーリ部を設けて、旋回枠をベルト駆動してもよく、あるいは、旋回枠の中心にモータの軸を連結して、旋回枠をモータで直接駆動してもよい。
【０１１０】
また、上記実施形態では、水トレー９０に仕切り壁９１を設けて、汲み上げ部９２と非汲み上げ部９３とに仕切り、仕切り壁９１の下部に通水孔としての長穴９５を設けたが、通水孔は一個または複数のスリットまたは丸穴であってもよい。
【０１１１】
また、上記実施形態では、水トレー９０に、汲み上げ部９２と非汲み上げ部９３とを仕切る仕切り壁９１を設け、この仕切り壁９１に通水孔を設けて、風量に応じて、汲み上げ部９２の汲み上げ水量を自動的に調節するようにしたが、仕切り壁９１を取り除いて、水位の自動調節機能をなくしてもよい。
【０１１２】
また、上記実施形態では、非汲み上げ部９３の水位が予め定められた一定値以上になると、非汲み上げ部９３から切欠き１０１を通して水が流入するバッファ水収容部９９を設けているが、このバッファ水収容部９９および切欠き１０１を除去してもよい。
【０１１３】
さらに、上記実施形態では、空気清浄フィルタユニット３０と加湿フィルタ４０とを備えた加湿装置について説明したが、空気清浄フィルタユニットを備えていない加湿装置にこの発明を適用してもよい。
【符号の説明】
【０１１４】
１…ケーシング
３…前面パネル
５…吸込口
６…吹出口
１０…水タンク
１１…後面
１２…傾斜面
２０…ファン
２１…ファンモータ
２３…ベルマウス
３０…空気清浄フィルタユニット
３１…プレフィルタ
３２…イオン化部
３３…集塵フィルタ
３４…脱臭フィルタ
４０…加湿フィルタ
５０…仕切り板
５１…非加湿通路
５２…加湿通路
６０…水掛装置
６１…バケット部
６２…内面
６２ａ…湾曲凹面
６５…旋回枠
６６…ボス部
６７…輪状円板部
６８…アーム部
６９…リング部
７１…内フランジ部
７２…内面
７２ａ…湾曲凹面
７４…ギヤードモータ
７５…保持部
７６…内周面
７７…面
７８…壁部
７９…歯車
８１…第１の開口
８２…第２の開口
８９…リブ部
９０…水トレー
９１…仕切り壁
９２…汲み上げ部
９３…非汲み上げ部
９５…長穴
９６…穴
９７…フロート取付穴
９８…水タンク設置部
９９…バッファ水収容部
１０１…切欠き
１１０…軸部
１１４…埃センサ
１２１…高圧用プリント基板
１２２…臭いセンサ
１３０…ギヤ
２００…制御部
２０１…温度センサ
２０２…湿度センサ
【図１】
2010243006.tif 000003
【図２】
2010243006.tif 000004
【図３】
2010243006.tif 000005
【図４】
2010243006.tif 000006
【図５】
2010243006.tif 000007
【図６】
2010243006.tif 000008
【図７】
2010243006.tif 000009
【図８】
2010243006.tif 000010
【図９】
2010243006.tif 000011
【図１０】
2010243006.tif 000012
【図１１】
2010243006.tif 000013
【図１２】
2010243006.tif 000014
【図１３】
2010243006.tif 000015
【図１４】
2010243006.tif 000016